(57)【要約】【課題】  畝の上に高く伸びる植物に対応できるようにする。【解決手段】  本発明の害虫防除用捕集システム１は、畝Ｕに植えられた植物としての野菜Ｙに付着する害虫Ｍを捕集するための、送風機２及び捕集機３を含んでいる。送風機２は、畝Ｕの一方の側方において畝長さ方向へ走行自在に支持された第一機体１１と、該第一機体１１に搭載され、野菜Ｙについた害虫Ｍを畝Ｕの他方の側方へ追いやるように、該野菜Ｙに向けて送風する送風手段１２とを備えている。捕集機３は、畝Ｕの他方の側方において畝長さ方向へ走行自在に支持された第二機体３１と、該第二機体３１に搭載され、送風により追いやられてきた害虫Ｍを内部に捕獲するように、畝Ｕの一方の側方に向いた開口３２ａを備えた捕集網３２とを備えている。【選択図】      図１
2006081423.tif 000002
【特許請求の範囲】
【請求項１】
略線状に延びる栽培場所に植えられた植物に付着する害虫を捕集ための、送風機及び捕集機を含んだ害虫防除用捕集システムであって、
前記送風機は、前記栽培場所の一方の側方において栽培場所長さ方向へ走行自在に支持された第一機体と、該第一機体に搭載され、前記植物についた害虫を前記栽培場所の他方の側方へ追いやるように、該植物に向けて送風する送風手段とを備え、
前記捕集機は、前記栽培場所の他方の側方において栽培場所長さ方向へ走行自在に支持された第二機体と、該第二機体に搭載され、前記送風により追いやられてきた前記害虫を内部に捕獲するように、前記栽培場所の一方の側方に向いた開口を有する捕集網とを備えた害虫防除用捕集システム。
【請求項２】
前記送風機及び前記捕集機の走行中に、前記送風手段及び前記捕集網が前記栽培場所を挟んで互いに対峙した状態を維持するように、前記送風機及び前記捕集機の走行を非接触で同期させるための同期手段を含んだ請求項１記載の害虫防除用捕集システム。
【請求項３】
前記送風機及び前記捕集機は、前記各機体を前記栽培場所長さ方向へ走行させる駆動手段をそれぞれ備え、
前記同期手段は、
前記送風機に設けられ、該送風機の走行位置情報を検出する第一検出手段と、
前記捕集機に設けられ、該捕集機の走行位置情報を検出する第二検出手段と、
前記送風機又は前記捕集機のいずれか一方の機械に設けられ、該一方の機械における前記検出手段により検出された走行位置情報を他方の機械に非接触で送信する送信手段と、
前記他方の機械に設けられ、前記一方の機械の前記走行位置情報を受信する受信手段と、
前記他方の機械に設けられ、その走行位置情報及び受信した前記一方の機械の走行位置情報を比較し、両機械の走行を同期させるように、該他方の機械に設けられた前記駆動手段の駆動速度を制御する制御手段と
を備えた請求項２記載の害虫防除用捕集システム。
【請求項４】
前記送風機及び前記捕集機は、前記各機体を前記栽培場所長さ方向へ走行させる駆動手段をそれぞれ備え、
前記同期手段は、
前記送風機又は前記捕集機のいずれか一方の機械に設けられ、前記栽培場所の幅方向へ光を投光する投光手段と、
前記他方の機械に設けられ、前記走行方向における前記光の受光位置を検出する受光手段と、
前記他方の機械に設けられ、前記受光位置に基づいて、両機械の走行を同期させるように、該他方の機械に設けられた前記駆動手段の駆動速度を制御する制御手段と
を備えた請求項２記載の害虫防除用捕集システム。
【請求項５】
前記送風機及び前記捕集機は、前記各機体を前記栽培場所長さ方向へ人力で走行させるようにそれぞれ構成されており、
前記同期手段は、
前記送風機に設けられ、該送風機の走行位置情報を検出する第一検出手段と、
前記捕集機に設けられ、該捕集機の走行位置情報を検出する第二検出手段と、
前記送風機又は前記捕集機のいずれか一方の機械に設けられ、該一方の機械における前記検出手段により検出された走行位置情報を他方の機械に非接触で送信する送信手段と、
前記他方の機械に設けられ、前記一方の機械の前記走行位置情報を受信する受信手段と、
前記他方の機械に設けられ、その走行位置情報及び受信した前記一方の機械の走行位置情報を比較し、両機械の走行位置の違いを表示する表示手段と
を備えた請求項２記載の害虫防除用捕集システム。
【請求項６】
前記送風機及び前記捕集機は、前記各機体を前記栽培場所長さ方向へ人力で走行させるようにそれぞれ構成されており、
前記同期手段は、
前記送風機又は前記捕集機のいずれか一方の機械に設けられ、前記栽培場所の幅方向へ光を投光する投光手段と、
前記他方の機械に設けられ、前記走行方向における前記光の受光位置を表示する表示手段と
を備えた請求項２記載の害虫防除用捕集システム。
【発明の詳細な説明】
【技術分野】
【０００１】
本発明は、害虫防除用捕集システムに関し、詳しくは、野菜等の植物に付着する害虫を捕集網を用いる物理的方法により、植物を傷めることなく、大量に捕獲駆除するものである。
【背景技術】
【０００２】
本出願人は、農薬に代えて物理的方法により、農薬と同等な害虫防除機能を有し、特に軟弱野菜に付着するマメハモグリバエ、コナガ、コナジラミ類等の難防除害虫も駆除できるとともに軟弱野菜を傷めない害虫防除用の捕集機を提供することを目的として、特許文献１記載の捕集機を開発した。この捕集機は、図９に示すように、送風発生手段（図示略）に連結される送風管７５と、送風管７５の送風口７５ａと隙間をあけて対向した開口７６ａを備えた捕集網７６と、捕集網７６の開口７６ａを所要断面積に保持するために開口の上下縁に沿って取り付けられる上下パイプ８６Ａ、８６Ｂとを備え、送風管７５及び捕集網７６を保持する上下パイプ８６Ａ、８６Ｂを台車７２上に取り付けている。台車７２は、畝Ｕの両側を走行する一対の車輪により畝Ｕを跨ぐように支持され、畝上を移動するように構成されている。そして、下パイプ８６Ｂを野菜Ｙの上部茎葉に接触させながら台車７２を走行させ、下パイプ８６Ｂとの接触で野菜に付いている害虫Ｍを飛翔させ、飛翔した害虫Ｍを送風口７５ａからの送風で捕集網７６の内部に追い込んで捕獲するようになっている。
【０００３】
【特許文献１】特開２００４−７７号公報
【発明の開示】
【発明が解決しようとする課題】
【０００４】
ところが、従来の害虫防除用捕集機は、畝Ｕを跨ぐように支持された台車７２に送風管７５及び捕集網７６を保持し、害虫Ｍを送風口７５ａからの送風で捕集網７６の内部に追い込んで捕獲するように構成されているので、畝上に高く伸びた野菜Ｙ等の植物に対しての使用が困難であるという課題がある。仮に、このような植物に対して使用しようとすると、その植物の高さに応じて台車を高く支持する必要があり、コストが掛かるという課題がある。しかも、畝上を横断する下パイプ８６Ｂを野菜Ｙの上部茎葉に接触させながら台車７２を走行させるように構成しているので、畝上に高く伸びた植物に対しては、その上端部分の害虫しか捕集できないという課題がある。
【課題を解決するための手段】
【０００５】
上記課題を解決するために、本発明の害虫防除用捕集システムは、
略線状に延びる栽培場所に植えられた植物に付着する害虫を捕集ための、送風機及び捕集機を含んだ害虫防除用捕集システムであって、
前記送風機は、前記栽培場所の一方の側方において栽培場所長さ方向へ走行自在に支持された第一機体と、該第一機体に搭載され、前記植物についた害虫を前記栽培場所の他方の側方へ追いやるように、該植物に向けて送風する送風手段とを備え、
前記捕集機は、前記栽培場所の他方の側方において栽培場所長さ方向へ走行自在に支持された第二機体と、該第二機体に搭載され、前記送風により追いやられてきた前記害虫を内部に捕獲するように、前記栽培場所の一方の側方に向いた開口を有する捕集網とを備えている。
【０００６】
この構成によれば、害虫防除対象の前記植物が植えられた前記栽培場所を挟んで対峙し、それぞれ栽培場所長さ方向へ走行する前記送風機及び前記捕集機を含んでおり、従来とは異なり栽培場所上を横断する部位や部材が存在していないので、栽培場所上に高く伸びる植物に対しても使用できる。
【０００７】
前記害虫防除用捕集システムとしては、
前記送風機及び前記捕集機の走行中に、前記送風手段及び前記捕集網が前記栽培場所を挟んで互いに対峙した状態を維持するように、前記送風機及び前記捕集機の走行を非接触で同期させるための同期手段を含んだ態様を例示する。
【０００８】
この構成によれば、同期手段により、前記送風手段及び前記捕集網が前記栽培場所を挟んで互いに対峙した状態を維持させることができ、該送風手段及び該捕集網により効率的に害虫を捕集することができる。
【０００９】
前記害虫防除用捕集システムにおいては、
前記送風機及び前記捕集機は、前記各機体を前記栽培場所長さ方向へ走行させる駆動手段をそれぞれ備え、
前記同期手段は、前記送風機に設けられ、該送風機の走行位置情報を検出する第一検出手段と、
前記捕集機に設けられ、該捕集機の走行位置情報を検出する第二検出手段と、
前記送風機又は前記捕集機のいずれか一方の機械に設けられ、該一方の機械における前記検出手段により検出された走行位置情報を他方の機械に非接触で送信する送信手段と、
前記他方の機械に設けられ、前記一方の機械の前記走行位置情報を受信する受信手段と、
前記他方の機械に設けられ、その走行位置情報及び受信した前記一方の機械の走行位置情報を比較し、両機械の走行を同期させるように、該他方の機械に設けられた前記駆動手段の駆動速度を制御する制御手段と
を備えた態様を例示する。
【００１０】
この構成によれば、前記送風機及び前記捕集機の走行を自動的に同期させることができる。
【００１１】
前記害虫防除用捕集システムにおいては、
前記送風機及び前記捕集機は、前記各機体を前記栽培場所長さ方向へ走行させる駆動手段をそれぞれ備え、
前記同期手段は、
前記送風機又は前記捕集機のいずれか一方の機械に設けられ、前記栽培場所の幅方向へ光を投光する投光手段と、
前記他方の機械に設けられ、前記走行方向における前記光の受光位置を検出する受光手段と、
前記他方の機械に設けられ、前記受光位置に基づいて、両機械の走行を同期させるように、該他方の機械に設けられた前記駆動手段の駆動速度を制御する制御手段と
を備えた態様を例示する。
【００１２】
この構成によっても、前記送風機及び前記捕集機の走行を自動的に同期させることができる。
【００１３】
前記害虫防除用捕集システムにおいては、
前記送風機及び前記捕集機は、前記各機体を前記栽培場所長さ方向へ人力で走行させるようにそれぞれ構成されており、
前記同期手段は、
前記送風機に設けられ、該送風機の走行位置情報を検出する第一検出手段と、
前記捕集機に設けられ、該捕集機の走行位置情報を検出する第二検出手段と、
前記送風機又は前記捕集機のいずれか一方の機械に設けられ、該一方の機械における前記検出手段により検出された走行位置情報を他方の機械に非接触で送信する送信手段と、
前記他方の機械に設けられ、前記一方の機械の前記走行位置情報を受信する受信手段と、
前記他方の機械に設けられ、その走行位置情報及び受信した前記一方の機械の走行位置情報を比較し、両機械の走行位置の違いを表示する表示手段と
を備えた態様を例示する。
【００１４】
前記表示手段としては、特に限定されないが、アナログ値を表示するアナログメータ等のアナログ表示手段やデジタル値を表示するデジタル表示器等のデジタル表示手段を例示する。
【００１５】
この構成によれば、前記送風機及び前記捕集機の走行の同期状態を視認することができ、該両機の走行を人力で簡単に同期させることができる。
【００１６】
前記害虫防除用捕集システムにおいては、
前記送風機及び前記捕集機は、前記各機体を前記栽培場所長さ方向へ人力で走行させるようにそれぞれ構成されており、
前記同期手段は、
前記送風機又は前記捕集機のいずれか一方の機械に設けられ、前記栽培場所の幅方向へ光を投光する投光手段と、
前記他方の機械に設けられ、前記走行方向における前記光の受光位置を表示する表示手段と
を備えた態様を例示する。
【００１７】
前記表示手段としては、特に限定されないが、前記光を受けて前記受光位置を表示する面を備えた部材（反射板等）や、前記光を透過させたり屈設させたりして前記受光位置を表示する光学的な部材等を例示する。
【００１８】
この構成によっても、前記送風機及び前記捕集機の走行の同期状態を視認することができ、該両機の走行を人力で簡単に同期させることができる。
【００１９】
以上において、「略線状に延びる栽培場所」としては、特に限定されないが、畝や隔離栽培用の栽培ベッド等を例示する。また、非接触で送受信する手段としては、特に限定されないが、電波や光（レーザー光、赤外光、紫外光を含む）を利用して送受信する手段を例示する。
【発明の効果】
【００２０】
本発明に係る害虫防除用捕集システムによれば、略線状に延びる栽培場所の上に高く伸びる植物に対応できるという優れた効果を奏する。
【発明を実施するための最良の形態】
【００２１】
図１〜図５は本発明を具体化した第一実施形態の害虫防除用捕集システム１を示している。このシステム１は、図１〜図３に示すように、害虫防除対象の植物としての野菜Ｙが植えられた畝Ｕを挟んで互いに対峙する送風機２及び捕集機３と、送風機２及び捕集機３の走行中に、送風機２の送風手段１２及び捕集機３の捕集網３２が畝Ｕを挟んで互いに対峙した状態を維持するように、送風機２及び捕集機３の走行を非接触で同期させるための同期手段４とを含んでいる。本例では、畝Ｕは、その両側に、畝長さ方向に延びる一対のレールＲがそれぞれ配設されており、送風機２及び捕集機３は、このレールＲ上を走行するように構成されている。なお、各図において、矢印Ｆは機体前側を指し示している。
【００２２】
送風機２は、図１、図２及び図４に示すように、畝Ｕの一方の側方において畝長さ方向へ走行自在に支持された第一機体１１と、該第一機体１１に搭載され、野菜Ｙについた害虫Ｍを畝Ｕの他方の側方へ追いやるように、該野菜Ｙに向けて送風する送風手段１２とを備えている。第一機体１１には、レールＲ上を転動する４つの車輪１３，１４と、該車輪１３を駆動して機体１１を畝長さ方向へ走行させる駆動手段１５とが設けられており、本例の駆動手段１５は、電源としてのバッテリー１５ａと、原動機としてのモータ１５ｂと、該モータ１５ｂの駆動状態を制御するモータコントローラ１５ｃと、モータ１５ｂの駆動力を車輪１３に伝動する動力伝動機構としてのチェーン伝動機構１５ｄとを備えている。
【００２３】
また、送風機２の第一機体１１には、上方に延びる基枠１６と、該基枠１６に沿って上下に昇降自在に支持された昇降枠１７と、該昇降枠１７を上下に駆動する昇降駆動手段１８とが設けられている。本例の昇降駆動手段１８は、ワイヤロープ２０ａと３つの滑車２０ｂとウインチ２０ｃとからなるロープ伝動機構２０により基枠１６に対して昇降枠１７を昇降させるように構成されている。昇降枠１７には、複数（本例では２つ）の送風手段１２としての扇風機が畝幅方向に向けて送風するように上下に列設されており、該扇風機は、第一機体１１に搭載された発電機２２から電力が供給されるようになっている。このように送風手段１２は、野菜Ｙや害虫Ｍの付着している高さに応じて上下方向の位置を調節可能に構成されている。また、送風手段１２は、野菜Ｙや害虫Ｍの種類に応じて風力を調節可能になっている。発電機２２は、バッテリー１５ａにも接続されており、バッテリー１５ａを充電するようになっている。
【００２４】
捕集機３は、図１、図３及び図４に示すように、畝Ｕの他方の側方において畝長さ方向へ走行自在に支持された第二機体３１と、該第二機体３１に搭載され、送風Ｗにより追いやられてきた害虫Ｍを内部に捕獲するように、畝Ｕの一方の側方に向いた開口３２ａを有する３つの捕集網３２とを備えている。本例では、第二機体３１には、第一機体１１と同一仕様の車輪１３，１４及び駆動手段１５が設けられている。
【００２５】
また、捕集機３の第二機体３１には、該機体３１の前後に立設された縦枠３６ａと、該縦枠３６ａの上下をそれぞれ連結する横枠３６ｂとにより矩形枠状に形成された網支持枠３６が設けられている。両縦枠３６ａには、捕集網３２を保持するためのＵ字状凹部を有するホルダ部３７が、上下に略一定間隔をおいて４つ設けられている。捕集網３２は、本例では、その内部に追い込んだ小さい害虫Ｍが網目から逃げないように０．５ｍｍ以下の間隔としたオーガンジー製のメッシュより形成されるとともに、その開口３２ａの上下両側に枠棒通し（図示略）が設けられ、該各棒通しにそれぞれ枠棒３８が挿通されてなっている。そして、捕集網３２は、その上下の枠棒３８が、上下に間隔をおいて縦枠３６ａのホルダ部３７に保持されることにより、開口３２ａが上下に開いた状態で網支持枠３６に取り付けられるようになっている。
【００２６】
同期手段４は、図４に示すように、送風機２に設けられ、該送風機２の走行位置情報を検出する第一検出手段４１と、捕集機３に設けられ、該捕集機３の走行位置情報を検出する第二検出手段４２と、捕集機３に設けられ、該捕集機３における第二検出手段４２により検出された走行位置情報を送風機２に非接触で送信する送信手段４３と、送風機２に設けられ、捕集機３の前記走行位置情報を受信する受信手段４４と、送風機２に設けられ、その走行位置情報及び受信した捕集機３の走行位置情報を比較し、両機械の走行を同期させるように、送風機２に設けられた駆動手段１５の駆動速度を制御する制御手段４５とを備えている。
【００２７】
本例の第一検出手段４１及び第二検出手段４２は、第一機体１１及び第二機体３１のモータ１５ｂの回転軸にそれぞれ取り付けられ、走行位置情報としての各回転軸の回転量に応じてパルス信号を出力するロータリーエンコーダとなっている。そして、送風機２及び捕集機３は同一の車輪１３，１４及び駆動手段１５を備えているので、走行開始時において送風機２及び捕集機３の走行位置が一致した状態（送風手段１２及び捕集網３２が互いに対峙した状態）にしておくことにより、両モータ１５ｂの回転軸の回転量が一致していれば同一の走行位置にあり、同回転量が相違していれば、該回転量が少ない方が走行位置が遅れていることが検出できる。
【００２８】
本例の送信手段４３は、第二検出手段４２から出力されるパルス信号を入力し、適宜変調して電波を介して送信するように構成されている。また、本例の受信手段４４は、この電波を受信し、適宜復調してパルス信号を取り出して送風機２の制御手段４５に出力するように構成されている。
【００２９】
本例の制御手段４５は、第一検出手段４１から出力されるパルス信号と、受信手段４４を介して入力する第二検出手段４２から出力されるパルス信号とをそれぞれ入力し、それぞれのパルス数をカウントし、両パルス数を比較し、該比較結果に応じて送風機２のモータコントローラ１５ｃに対して制御信号を出力し、送風機２の駆動手段１５の駆動速度を制御するようになっている。具体的には、両パルス数が一致しているとき（送風機２と捕集機３の走行位置が一致しているとき）は、該駆動手段１５の駆動速度を所定の通常速度に設定し、第一検出手段４１の方がパルス数が少ないとき（送風機２の走行位置が捕集機３の走行位置よりも遅れているとき）は、該駆動手段１５の駆動速度を所定の通常速度よりも速くし、第一検出手段４１の方がパルス数が多いとき（送風機２の走行位置が捕集機３の走行位置よりも進んでいるとき）は、該駆動手段１５の駆動速度を所定の通常速度よりも遅くするように制御信号を出力する。
【００３０】
次に、本害虫防除用捕集システム１の使用方法について、図５を参照しながら説明する。まず、畝長さ方向の一端側である走行開始位置において、送風機２の送風手段１２と、捕集機３の捕集網３２とが野菜Ｙが植えられた畝Ｕを挟んで互いに対峙するように、送風機２及び捕集機３をレールＲ上に配設しておく。次いで、送風機２及び捕集機３の作動を開始させる。すると、送風機２及び捕集機３は、同期手段４により、送風手段１２及び捕集網３２が畝Ｕを挟んで互いに対峙した状態を維持しながら走行する。これと同時に、図５（ａ）に示すように、送風機２の送風手段１２から噴出する送風Ｗが野菜Ｙの周りを飛んでいたり野菜Ｙに付着していたりする害虫Ｍを強制的に捕集機３の捕集網３２の開口３２ａへ向かって飛翔させ、該開口３２ａから網内部に追い込むようになっている。害虫Ｍは、捕集網３２内に追い込まれた後、捕集網３２に向かって送風Ｗが送られ続けている間はその風圧により該捕集網３２から容易に逃げ出すことができない。そして、送風機２及び捕集機３は、畝長さ方向の他端側である走行停止位置に設けられた被検知部材（図示略）を検知する検知手段（図示略）と、該検知手段により被検知部材を検知すると駆動手段による駆動を停止させる駆動停止手段（図示略）とをそれぞれ備えており、前記走行停止位置で自動的に走行を停止するように構成されている（前記走行停止位置まで到達すると、前記走行開始位置まで自動的に戻るように構成することもできる。）。図５（ｂ）に示すように、送風Ｗが停止すると、捕集網３２が垂れ下がり、網内部の空間が狭まって害虫Ｍの逃げ道が塞がれるようになっている。本システム１では、捕集網３２内に害虫Ｍを捕獲しているだけであるため、吸引装置内に害虫Ｍを吸引捕獲する場合に生じ易い目詰まり等もなく、メンテナンスフリーとなる。害虫捕獲作業の終了後は、送風機２及び捕集機３の作動を停止させ、各捕集網３２を捕集機３から取り外し、各捕集網３２の上下の枠棒３８を重ね合わせて開口３２ａを閉じた状態にし、この状態で例えば天日に干したり、加熱したり、冷却したりすることにより害虫Ｍを死滅させる。
【００３１】
以上のように構成された本例の害虫防除用捕集システム１によれば、害虫防除対象の野菜Ｙが植えられた畝Ｕを挟んで対峙し、それぞれ畝長さ方向へ走行する送風機２及び捕集機３を含んでおり、従来とは異なり畝上を横断する部位や部材が存在していないので、畝上に高く伸びる野菜Ｙに対しても使用できる。
【００３２】
また、同期手段４により、送風手段１２及び捕集網３２が畝Ｕを挟んで互いに対峙した状態を維持させることができ、送風手段１２及び捕集網３２により効率的に害虫Ｍを捕集することができる。
【００３３】
また、送風機２及び捕集機３は、駆動手段１５をそれぞれ備えるとともに、同期手段４は、送風機２及び捕集機３の走行を同期させる制御手段４５等を備えているので、送風機２及び捕集機３の走行を自動的に同期させることができる。
【００３４】
次に、図６は本発明を具体化した第二実施形態を示している。この害虫防除用捕集システム５０は、以下に示すように、同期手段５１が主に第一実施形態と相違している。従って、同実施形態と共通する部分については、同一符号を付することにより重複説明を省く（以下、他の実施形態についても同様。）。
【００３５】
本例の同期手段５１は、捕集機３に設けられ、畝Ｕの幅方向へ光を投光する投光手段５２と、送風機２に設けられ、走行方向（第一機体１１の前後方向）における光の受光位置Ｐを検出する受光手段５３と、送風機２に設けられ、受光位置Ｐに基づいて、送風機２及び捕集機３の走行位置のずれを検出し、送風機２及び捕集機３の走行を同期させるように、該送風機２に設けられた駆動手段１５の駆動速度を制御する制御手段５４とを備えている。
【００３６】
本例の害虫防除用捕集システム５０は、第一実施形態の害虫防除用捕集システム１と同様に使用でき、同実施形態と同様の効果を得ることができる。
【００３７】
次に、図７は本発明を具体化した第三実施形態を示している。この害虫防除用捕集システム５５は、以下に示す点において、主に第一実施形態と相違している。
【００３８】
送風機２及び捕集機３は、第一実施形態における駆動手段に代えて、手押し用ハンドル５８を備えており、各機体１１，３１を畝長さ方向へ作業者が人力で走行させるようにそれぞれ構成されている。
【００３９】
同期手段５６は、送風機２に設けられ、該送風機２の走行位置情報を検出する第一検出手段４１と、捕集機３に設けられ、該捕集機３の走行位置情報を検出する第二検出手段４２と、捕集機３に設けられ、該捕集機３における検出手段４２により検出された走行位置情報を送風機２に非接触で送信する送信手段４３と、送風機２に設けられ、捕集機３の前記走行位置情報を受信する受信手段４４と、送風機２に設けられ、その走行位置情報及び受信した捕集機３の走行位置情報を比較し、両機械の走行位置の違いを検出する制御手段４５と、該制御手段４５に接続され、両機械の走行位置の違いを表示する表示手段５７とを備えている。本例の第一検出手段４１及び第二検出手段４２は、それぞれ車輪１３の車軸の回転量を検出するように構成されている点が第一実施形態とは相違している。
【００４０】
そして、送風機２を走行させる作業者は、表示手段５７により、送風機２と捕集機３の走行位置のずれを認識し、送風機２の走行速度を適宜調節することができる。
【００４１】
本例の害虫防除用捕集システム５５によっても、第一実施形態と同様に、畝上に高く伸びる野菜Ｙに対応できるという優れた効果を奏する。また、表示手段５７によれば、送風機２及び捕集機３の走行の同期状態を視認することができ、該両機の走行を人力で簡単に同期させることができる。
【００４２】
次に、図８は本発明を具体化した第四実施形態を示している。この害虫防除用捕集システム６０は、以下に示す同期手段６１が主に第三実施形態と相違している。
【００４３】
本例の同期手段６１は、捕集機３に設けられ、畝Ｕの幅方向へ光を投光する投光手段６２と、送風機２に設けられ、走行方向における前記光の受光位置Ｐを表示する表示手段６３とを備えている。表示手段６３としては、例えば、走行方向に延びる反射板とすることを例示する。表示手段６３には、図８に示すように、目盛を表示しておくと、送風機２と捕集機３の走行位置のずれを定量的に認識できるので、好ましい。また、表示手段６３として反射板を採用する場合は、第一機体１１の側方へ傾斜させることにより前記光を受光する面を斜め上方に向けた状態で配設すると、送風機２を走行させる作業者が表示手段６３の受光位置Ｐを視認しやすい。
【００４４】
そして、送風機２を走行させる作業者は、表示手段６３の受光位置Ｐを視認し、これにより、送風機２と捕集機３の走行位置のずれを認識し、送風機２の走行速度を適宜調節することができる。
【００４５】
本例の害虫防除用捕集システム６０によっても、第三実施形態と同様の効果を得ることができる。
【００４６】
なお、本発明は前記実施形態に限定されるものではなく、例えば以下のように、発明の趣旨から逸脱しない範囲で適宜変更して具体化することもできる。
（１）野菜Ｙに付着した害虫Ｍを飛び立たせることにより効率的に捕集するために、送風手段１２とは別に野菜Ｙを揺らす手段を設けること。この揺らす手段としては、例えば、茎葉接触部材を送風機２又は／及び捕集機３に設け、該部材を野菜Ｙの茎葉に接触させることにより野菜Ｙを揺らすように構成した態様を例示する。茎葉接触部材は、野菜Ｙを傷めないように、野菜Ｙに接触する部位をゴム等からなるクッション材で構成することが好ましい。
（２）第一実施形態又は第二実施形態において、制御手段４５を備えていない側の機械である捕集機３に駆動手段１５を設けず、人力で走行させるように構成すること。
（３）第三実施形態又は第四実施形態において、表示手段５７，６３を備えていない側の機械である捕集機３に、第一実施形態と同様の駆動手段１５を設け、自動的に走行するように構成すること。
【図面の簡単な説明】
【００４７】
【図１】本発明を具体化した第一実施形態に係る害虫防除用捕集システムの正面図である。
【図２】図１のＩＩ矢視図である。
【図３】図１のＩＩＩ矢視図である。
【図４】同害虫防除用捕集システムの同期手段の構成を示す平面ブロック図である。
【図５】同害虫防除用捕集システムの動作を示す一部破断正面図であり、（ａ）は送風手段が作動している状態を示す図、（ｂ）は送風手段が停止している状態を示す図である。
【図６】本発明を具体化した第二実施形態に係る害虫防除用捕集システムの同期手段の構成を示す平面ブロック図である。
【図７】本発明を具体化した第三実施形態に係る害虫防除用捕集システムの同期手段の構成を示す平面ブロック図である。
【図８】本発明を具体化した第四実施形態に係る害虫防除用捕集システムの同期手段の構成を示す平面ブロック図である。
【図９】従来の害虫防除用捕集機による害虫の捕獲を説明する図である。
【符号の説明】
【００４８】
１    害虫防除用捕集システム
２    送風機
３    捕集機
４    同期手段
１１    第一機体
１２    送風手段
１３    車輪
１４    車輪
１５    駆動手段
１６    基枠
１７    昇降枠
１８    昇降駆動手段
３１    第二機体
３２    捕集網
３２ａ  開口
３６    網支持枠
４１    第一検出手段
４２    第二検出手段
４３    送信手段
４４    受信手段
４５    制御手段
５０    害虫防除用捕集システム
５１    同期手段
５２    投光手段
５３    受光手段
５４    制御手段
５５    害虫防除用捕集システム
５６    同期手段
５７    表示手段
６０    害虫防除用捕集システム
６１    同期手段
６２    投光手段
６３    表示手段
Ｍ    害虫
Ｐ    受光位置
Ｒ    レール
Ｕ    畝
Ｙ    野菜
Ｗ    送風
【図１】
2006081423.tif 000003
【図２】
2006081423.tif 000004
【図３】
2006081423.tif 000005
【図４】
2006081423.tif 000006
【図５】
2006081423.tif 000007
【図６】
2006081423.tif 000008
【図７】
2006081423.tif 000009
【図８】
2006081423.tif 000010
【図９】
2006081423.tif 000011